(57)【要約】【課題】本来的に弱階層を受信できない強階層受信機に対応することができ、また弱階層受信におけるメモリの確保やダウンロード予約などの処理を必要としないデジタル地上受信機を提供する。【解決手段】１セグメントの強階層によって伝送された告知情報が受信されると、ＣＰＵ部１６が告知情報から周波数変更期間情報を取得し情報格納用メモリ部１７に保存する。実際に放送局で周波数が変更されると、周波数アンロックの信号がＣＰＵ部１６に伝えられ、ＣＰＵ部１６は、情報格納用メモリ部１７に格納された周波数変更期間情報を参照し、現在が周波数変更期間に該当しかつ放送時間帯内である場合、１セグメント用チューナ部１１へ周波数サーチを指示し、１セグメント用チューナ部１１は周波数サーチを実行する。ＣＰＵ部１６は、周波数サーチによって取得した周波数情報をチャンネル・プリセット情報として情報格納用メモリ部１７に格納する。【選択図】        図１
2004186982.tif 000002
【特許請求の範囲】
【請求項１】
周波数変更の内容を告知する告知情報に基づいて、地上デジタル放送の受信周波数のプリセットを行う地上デジタル受信機であって、該地上デジタル受信機は、強階層受信が可能であって、強階層ＳＤＴＴで伝送された前記告知情報を取得するとともに、放送局の放送時間帯情報を予め保持し、受信中の放送波の停波を検知した際、前記告知情報から取得した放送局の周波数変更期間情報と前記放送時間帯情報とが前記停波を検知した日時に該当する場合に、周波数サーチを行い、該周波数サーチの結果取得した周波数情報に従ってチャンネルのプリセットを行うことを特徴とする地上デジタル受信機。
【請求項２】
周波数変更の内容を告知する告知情報に基づいて、地上デジタル放送の受信周波数のプリセットを行う地上デジタル受信機であって、該地上デジタル受信機は、強階層受信が可能であって、強階層ＳＤＴＴで伝送された前記告知情報を取得するとともに、放送局の放送時間帯情報を予め保持し、受信中の放送波の停波を検知した際、ユーザに周波数変更が発生した可能性があることを知らせ、周波数サーチ及びプリセットの実行を促すことを特徴とする地上デジタル受信機。
【請求項３】
周波数変更の内容を告知する告知情報に基づいて、地上デジタル放送の受信周波数のプリセットを行う地上デジタル受信機であって、該地上デジタル受信機は、強階層受信が可能であって、強階層ＳＤＴＴで伝送された前記告知情報を取得するとともに、放送局の放送時間帯情報を予め保持し、受信中の放送波の停波を検知した際、該停波の検知から所定時間を経過しても放送波の検知が復帰しない場合に、周波数サーチを行い、該周波数サーチの結果取得した周波数情報に従ってチャンネルのプリセットを行うことを特徴とする地上デジタル受信機。
【請求項４】
周波数変更の内容を告知する告知情報に基づいて、地上デジタル放送の受信周波数のプリセットを行う地上デジタル受信機であって、該地上デジタル受信機は、強階層受信が可能であって、強階層ＳＤＴＴで伝送された前記告知情報を取得するとともに、放送局の放送時間帯情報を予め保持し、受信中の放送波の停波を検知した際、該停波の検知から所定時間を経過しても放送波の検知が復帰しない場合に、ユーザに周波数変更が発生した可能性があることを知らせ、周波数サーチ及びプリセットの実行を促すことを特徴とする地上デジタル受信機。
【請求項５】
請求項１ないし４のいずれか１に記載の地上デジタル受信機において、該地上デジタル受信機は、前記強階層受信とともに弱階層受信が可能であって、弱階層ＤＩＩ、ＤＤＢで伝送される詳細な周波数変更情報の入ったコンテンツデータを取得して実行する手段を備えていないことを特徴とする地上デジタル受信機。
【請求項６】
請求項１ないし５のいずれか１に記載の地上デジタル受信機において、前記放送時間帯情報として、放送時間帯判定の基準となる一般的な放送停止時間帯の設定データを入力可能とすることを特徴とする地上デジタル受信機。
【請求項７】
請求項３ないし６のいずれか１に記載の地上デジタル受信機において、前記放送波の復帰までの待機時間である前記所定時間データを入力可能とすることを特徴とする地上デジタル受信機。
【発明の詳細な説明】
【０００１】
【発明の属する技術分野】
本発明は、地上デジタル受信機、より詳細には、地上デジタル放送の開始時における周波数変更に対応した地上デジタル受信機に関する。
【０００２】
【従来の技術】
地上デジタル放送の実施化に際しては、アナログ放送の終了時点で周波数の再割り当てによる放送周波数変更が行われる。このような周波数変更に対応する仕組みとして、詳細な周波数変更情報（周波数変更が行われる対象地域情報，対象送信局、周波数変更日時、変更後の周波数など）を含むコンテンツデータを記述したパケット（以下コンテンツパケットとする）を受信機側で予め受信しておくことにより、実際の周波数変更日時に自動で周波数の変更設定を行うことができるようにしたものがある。上記コンテンツパケットは、弱階層ＤＩＩ（Ｄｏｗｎｌｏａｄ  Ｉｎｆｏｒｍａｔｉｏｎ  Ｉｎｄｉｃａｔｉｏｎ），及びＤＤＢ（Ｄｏｗｎｌｏａｄ  ＤａｔａＢｌｏｃｋ）により伝送される。
【０００３】
さらに上記のごとくのコンテンツパケットの伝送の前の段階で、周波数変更が予定されていることを告知する告知情報を格納したパケットが受信機に伝送される。この告知情報は、周波数変更情報の告知情報であり、コンテンツパケットの識別情報が含まれ、その伝送は、強階層ＳＤＴＴ（Ｓｏｆｔｗａｒｅ  Ｄｏｗｎｌｏａｄ  Ｔｒｉｇｇｅｒ  Ｔａｂｌｅ）にて実行される。
【０００４】
図７は、従来の１セグメントの強階層受信のみ可能な地上デジタル受信機の構成例を説明するためのブロック図で、放送波によるダウンロード機能の実行に必要となる要素を機能ブロックにより示すものである。１セグメントの強階層によって伝送された告知情報が、１セグメント用チューナ部３１から１セグメント用デモジュレータ部３２を経てＤｅＭＵＸ部３３に至ると、ＣＰＵ部３６は、ユーザに周波数変更の発生を告げる情報を告知情報から取得すると同時にメッセージとして映像出力部３５にて表示され、また情報格納用メモリ部３７に格納される。
【０００５】
図８は、従来の１２セグメントの弱階層及び１セグメントの強階層の両方が受信可能な地上デジタル受信機の構成例を説明するためのブロック図で、放送波によるダウンロード機能の実行に必要となる要素を機能ブロックにより示すものである。１セグメントの強階層によって伝送された告知情報が、１２及び１セグメント用チューナ部４１からＯＦＤＭデモジュレータ部（１２及び１セグメント用デモジュレータ部）４２を経てＤｅＭＵＸ部４３に至ると、ＣＰＵ部４６は、コンテンツの取得に必要な識別情報を告知情報から取得すると同時に、メッセージとして映像出力部４５にて表示される。
【０００６】
この後、ユーザが電源ＯＦＦしたタイミングで疑似ＯＦＦ状態（実際にはＯＮ状態）をつくり、一定時間コンテンツ取得を待つという処理を実行する。そして１２セグメントの弱階層によって伝送されたコンテンツパケットが、１２及び１セグメント用チューナ部４１からデモジュレータ部４２，ＤｅＭＵＸ部４３に至ると、ＣＰＵ部４６は、コンテンツデータを取得して、対象周波数情報など、周波数変更に必要となる周波数変更情報をコンテンツデータから読み出して情報格納用メモリ部４７へ格納する。さらにＣＰＵ部４６は、コンテンツデータに含まれる周波数変更日時情報から、予約起動用サブＣＰＵ部４８へ周波数変更実施予約処理を行い電源をＯＦＦ状態に移行させる。
【０００７】
実際の周波数変更日時になると、受信機の予約起動用サブＣＰＵ部４８によって受信起動され、予約情報と格納データとを基に受信機の周波数変更が実行され、周波数変更対応が完了する。
【０００８】
特許文献１には、放送波によるダウンロードをより効果的に行うための技術が開示されているが、放送局の送出運用変更のための番組関連データ伝送についても、告知情報格納パケット（ＳＤＴＴ）とコンテンツ格納パケット（ＤＩＩ、ＤＤＢ）を使って実施し、送出運用変更に受信機を対応させるためにはコンテンツ格納パケット（ＤＩＩ、ＤＤＢ）の取得が前提となっている。
【０００９】
【特許文献１】
特開２００１−５３６９７号公報
【００１０】
【発明が解決しようとする課題】
しかし上記のごとくの従来の技術は、以下に説明するごとくの課題を抱えている。ダウンロードによる番組関連データの伝送においては、周波数変更情報やその開始日時などのコンテンツデータを記述したコンテンツパケット（ＤＩＩ、ＤＤＢ）が弱階層でのみ伝送され、強階層における受信のみが可能な受信機では、これらの情報を取得することができない。従ってこのような受信機は、放送周波数の変更に自動で追従することができず、ユーザへ周波数サーチを促すなどの動作に留まるものであった。またこのようなサーチを促す表示のタイミングも、実際に周波数変更が発生する日時にサーチが行われることを意図していないため、多くの場合は周波数変更発生前にユーザに知らされることになり、周波数変更が発生した時点でユーザに知らせる機能を有するものではなかった。
【００１１】
更に弱階層のデータを受信できる受信機であっても、コンテンツデータを格納するメモリ容量の確保機能、周波数の変更日時に受信周波数を変更するための予約機能、及び予約に従って周波数を変更する周波数変更機能等を搭載しなければ放送周波数の変更に追従することができなかった。
【００１２】
また、放送の停波をトリガとして、周波数サーチ及び受信周波数のプリセットを行う技術があるが、従来の技術においては、周波数変更に限らず何らかの原因で放送波が遮断または停止した場合、すべて周波数サーチ及びプリセットを実行してしまうものであった。
【００１３】
本発明は、上述のごとき実情に鑑みてなされたものであり、詳細な周波数変更情報を記述したコンテンツデータを受信する必要なく、告知情報を受信するだけで放送周波数変更に追従することができるようにした地上デジタル受信機であって、本来的に弱階層を受信できない強階層受信機に対応することができ、また弱階層受信が可能な受信機であっても弱階層受信におけるメモリの確保やコンテンツデータ取得などの処理を必要としないデジタル地上受信機を提供することを目的とするものである。
【００１４】
【課題を解決するための手段】
本発明の第１の技術手段は、周波数変更の内容を告知する告知情報に基づいて、地上デジタル放送の受信周波数のプリセットを行う地上デジタル受信機であって、地上デジタル受信機は、強階層受信が可能であって、強階層ＳＤＴＴで伝送された告知情報を取得するとともに、放送局の放送時間帯情報を予め保持し、受信中の放送波の停波を検知した際、その告知情報から取得した放送局の周波数変更期間情報と放送時間帯情報とが停波を検知した日時に該当する場合に、周波数サーチを行い、周波数サーチの結果取得した周波数情報に従ってチャンネルのプリセットを行うことを特徴とするものである。
【００１５】
本発明の第２の技術手段は、周波数変更の内容を告知する告知情報に基づいて、地上デジタル放送の受信周波数のプリセットを行う地上デジタル受信機であって、地上デジタル受信機は、強階層受信が可能であって、強階層ＳＤＴＴで伝送された告知情報を取得するとともに、放送局の放送時間帯情報を予め保持し、受信中の放送波の停波を検知した際、ユーザに周波数変更が発生した可能性があることを知らせ、周波数サーチ及びプリセットの実行を促すことを特徴とするものである。
【００１６】
本発明の第３の技術手段は、周波数変更の内容を告知する告知情報に基づいて、地上デジタル放送の受信周波数のプリセットを行う地上デジタル受信機であって、地上デジタル受信機は、強階層受信が可能であって、強階層ＳＤＴＴで伝送された告知情報を取得するとともに、放送局の放送時間帯情報を予め保持し、受信中の放送波の停波を検知した際、その停波の検知から所定時間を経過しても放送波の検知が復帰しない場合に、周波数サーチを行い、周波数サーチの結果取得した周波数情報に従ってチャンネルのプリセットを行うことを特徴とするものである。
【００１７】
本発明の第４の技術手段は、周波数変更の内容を告知する告知情報に基づいて、地上デジタル放送の受信周波数のプリセットを行う地上デジタル受信機であって、地上デジタル受信機は、強階層受信が可能であって、強階層ＳＤＴＴで伝送された告知情報を取得するとともに、放送局の放送時間帯情報を予め保持し、受信中の放送波の停波を検知した際、停波の検知から所定時間を経過しても放送波の検知が復帰しない場合に、ユーザに周波数変更が発生した可能性があることを知らせ、周波数サーチ及びプリセットの実行を促すことを特徴とするものである。
【００１８】
本発明の第５の技術手段は、上記第１ないし４の技術手段において、地上デジタル受信機は、強階層受信とともに弱階層受信が可能であって、弱階層ＤＩＩ、ＤＤＢで伝送される詳細な周波数変更情報の入ったコンテンツデータを取得して実行する手段を備えていないことを特徴とするものである。
【００１９】
本発明の第６の技術手段は、上記第１ないし５の技術手段において、放送時間帯情報として、放送時間帯判定の基準となる一般的な放送停止時間帯の設定データを入力可能とすることを特徴とするものである。
【００２０】
本発明の第７の技術手段は、上記第３ないし６の技術手段において、放送波の復帰までの待機時間である所定時間データを入力可能とすることを特徴とするものである。
【００２１】
【発明の実施の形態】
図１は、本発明に係わる１セグメントの強階層受信のみ受信可能な地上デジタル受信機の構成例を説明するためのブロック図で、放送波によるダウンロード機能動作に必要となる要素を示すものである。１セグメントの強階層によって伝送された告知情報が、１セグメント用チューナ部１１から１セグメント用デモジュレータ部１２を経てＤｅＭＵＸ部１３に至ると、ＣＰＵ部１６が告知情報から周波数変更期間情報を取得し、取得した周波数変更期間情報を情報格納用メモリ部１７に格納すると同時にユーザへのメッセージとして映像出力部１５にて表示される。
【００２２】
実際に放送局で周波数が変更されると、地上デジタル受信機においては、受信中の電波が途絶えて周波数アンロックの信号が１セグメント用チューナ部１１からＣＰＵ部１６に伝えられる。ＣＰＵ部１６は、情報格納用メモリ部１７に格納された周波数変更期間情報を参照して、現在が周波数変更期間に該当し、かつ放送時間帯内であるかどうかを判断する。放送時間帯を判断する情報としては、例えば６時〜２４時といった固定値情報を受信機に保持しておくか、または放送コンテンツの番組情報から正確な当該日の放送時間情報を取得してもよく、あるいはユーザの毎日の受信時刻を履歴情報として放送時間帯を推定し、その情報を保持しておくようにしてもよい。
【００２３】
現在が周波数変更期間に該当し、かつ放送時間帯内である場合、ＣＰＵ部１６は、１セグメント用チューナ部１１へ周波数サーチを指示する。１セグメント用チューナ部１１は、指示に従って周波数サーチを実行し、放送が実施されている周波数情報をＣＰＵ部１６に送る。ＣＰＵ部１６は、取得した周波数情報をチャンネル・プリセット情報として情報格納用メモリ部１７に格納する。このような処理動作によって周波数変更対応が完了する。
【００２４】
図２は、本発明に係わる１２セグメントの弱階層と１セグメントの強階層の両方が受信可能な地上デジタル受信機の構成例を説明するためブロック図で、放送波によるダウンロード機能動作に必要となる要素を示すものである。１セグメントの強階層によって伝送された告知情報が、１２及び１セグメント用チューナ部２１からＯＦＤＭデモジュレータ部（１２及び１セグメント用デモジュレータ部）２２を経てＤｅＭＵＸ部２３に至ると、ＣＰＵ部２６は、周波数変更期間情報を取得し、取得した周波数変更期間情報を情報格納用メモリ部２７に格納すると同時にユーザへのメッセージとして映像出力部２５にて表示される。
【００２５】
実際に放送局で周波数が変更されると、地上デジタル受信機においては、受信中の電波が途絶えて周波数アンロックの信号が１２及び１セグメント用チューナ２１からＣＰＵ部２６に伝えられる。ＣＰＵ部２６は、情報格納用メモリ部２７に格納された周波数変更期間情報を参照して、現在が周波数変更期間に該当し、かつ放送時間帯内であるかどうかを判断する。放送時間帯を判断する情報としては、例えば６時〜２４時といった固定値情報を受信機に保持しておくか、または放送コンテンツの番組情報から正確な当該日の放送時間情報を取得してもよく、あるいはユーザの毎日の受信時刻を履歴情報として放送時間帯を推定し、その情報を保持しておくようにしてもよい。
【００２６】
現在が周波数変更期間に該当し、かつ放送時間帯内である場合、ＣＰＵ部２６は、１２及び１セグメント用チューナ部２１へ周波数サーチを指示する。１２及び１セグメント用チューナ部２１は、指示に従って周波数サーチを実行し、放送が実施されている周波数の情報をＣＰＵ部２６に送る。ＣＰＵ部２６は、取得した周波数情報をチャンネル・プリセット情報として格情報格納用メモリ部２７に格納する。このような処理動作によって周波数変更対応が完了する。
【００２７】
上述のごとくのデジタル地上受信機における周波数変更発生の判別ロジックを以下の各実施例のように設定する。
図３は、本発明のデジタル受信機における周波数変更発生の判別ロジックの一例を説明するためのフローチャートである。まず地上デジタル受信機が、放送波の停波を感知することにより（ステップＳ１）、停波の発生日時と予め告知情報により取得してある周波数変更対象期間（対象地域、開始年月日、変更作業期間）とを照合する（ステップＳ２）。照合の結果、現在が対象期間内であれば、予め受信機に保持しておいた放送時間帯情報（固定値データや番組情報から取得したデータ、もしくはユーザの受信時刻からの推定データ等）を参照し、現在が放送時間帯に該当するかどうかを判断する（ステップＳ３）。そして現在が放送時間帯内であれば、周波数サーチ及び該周波数サーチ結果に従うチャンネルプリセットを実行し（ステップＳ４）、その状態で待機する（ステップＳ５）。
【００２８】
図４は、本発明のデジタル受信機における周波数変更発生の判別ロジックの他の例を説明するためのフローチャートである。まず地上デジタル受信機が、放送波の停波を感知することにより（ステップＳ１１）、停波の発生日時と予め告知情報により取得してある周波数変更対象期間（対象地域、開始年月日、変更作業期間）とを照合する（ステップＳ１２）。照合の結果、現在が対象期間内であれば、予め受信機に保持しておいた放送時間帯情報（固定値データや番組情報から取得したデータ、もしくはユーザの受信時刻からの推定データ等）を参照し、現在が放送時間帯に該当するかどうかを判断する（ステップＳ１３）。そして現在が放送時間帯内であれば、周波数サーチ及び該周波数サーチ結果に従うチャンネルプリセットを促すメッセージを表示し（ステップＳ１４）、その状態で待機する（ステップＳ１５）。
【００２９】
図５は、本発明のデジタル受信機における周波数変更発生の判別ロジックの更に他の例を説明するためのフローチャートである。まず地上デジタル受信機が、放送波の停波を感知することにより（ステップＳ２１）、停波の発生日時と予め告知情報により取得してある周波数変更対象期間（対象地域、開始年月日、変更作業期間）とを照合する（ステップＳ２２）。照合の結果、現時が対象期間内であれば、予め受信機に保持しておいた放送時間帯情報（固定値データや番組情報から取得したデータ、もしくはユーザの受信時刻からの推定データ等）を参照し、現在が放送時間帯に該当するかどうかを判断する（ステップＳ２３）。
【００３０】
そして現在が放送時間帯内であれば、移動受信やその他何らかの妨害による一時的な放送波の遮断と区別するために、放送波の状態復帰をタイムアウトになるまで監視する（ステップＳ２４，Ｓ２５）。そしてタイムアウトになっても状態復帰がなされなければ、放送周波数変更が生じていると判断し、周波数サーチ及び該周波数サーチの結果に基づくチャンネルプリセット実行し（ステップＳ２６）、その状態で待機する（ステップＳ２７）。
【００３１】
図６は、本発明のデジタル受信機における周波数変更発生の判別ロジックの更に他の例を説明するためのフローチャートである。まず地上デジタル受信機が、放送波の停波を感知することにより（ステップＳ３１）、停波の発生日時と予め告知情報により取得してある周波数変更対象期間（対象地域、開始年月日、変更作業期間）とを照合する（ステップＳ３２）。照合の結果、現時が対象期間内であれば、予め受信機に保持しておいた放送時間帯情報（固定値データや番組情報から取得したデータ、もしくはユーザの受信時刻からの推定データ等）を参照し、現在が放送時間帯に該当するかどうかを判断する（ステップＳ３３）。
【００３２】
そして現在が放送時間帯内であれば、移動受信やその他何らかの妨害による一時的な放送波の遮断と区別するために、放送電波の状態復帰をタイムアウトになるまで監視する（ステップＳ３４，Ｓ３５）。そしてタイムアウトになっても状態復帰がなされなければ、放送周波数変更が生じていると判断し、周波数サーチ及び該周波数サーチの結果に基づくチャンネルプリセットを促すメッセージを表示し（ステップＳ３６）、その状態で待機する（ステップＳ３７）。
【００３３】
また、上述したごとくの各実施例の受信機には、ユーザが数値入力可能なインターフェースを設け、ユーザ自身が放送時間帯（例えば６：００〜２４：００）のデータを入力できるようにする。また、ユーザが数値入力可能なインターフェースを設け、放送状態の復帰までの待ち時間データ（タイムアウトまでの時間データ）を入力できるようにする。例えば、携帯受信機として用いる場合、移動や遮蔽物の陰に隠れて一時的に電波が遮断されるであろう時間をユーザ自身が想定し、その値（例えば１０秒）を入力できるようにする。
【００３４】
【発明の効果】
以上の説明から明らかなように、本発明の地上デジタル受信機によれば、これまで詳細な周波数変更情報を記述したコンテンツ受信をしなければ実行できなかった放送周波数変更追従を、告知情報の受信のみによって実行することができ、コンテンツが伝送される弱階層を受信できない強階層受信機においても周波数変更に対応することができ、また弱階層が受信できる受信機であっても詳細情報保持のためのメモリを搭載する必要がなく、かつダウンロード予約などの処理も必要ないことから、受信機の構成を簡素化することできる。
【００３５】
また、単に停波をトリガとして周波数サーチを行っていた従来技術に比べても、放送周波数変更による停波であるかどうかの判定精度を格段に向上させることができる。更に、強階層のみ受信できる受信機において、ユーザに対する周波数変更発生メッセージもその発生時点で表示することができ、ユーザは通常の放送休止や事故などによる停波と即座に区別することができる。
【００３６】
【図面の簡単な説明】
【図１】本発明に係わる１セグメントの強階層受信のみ受信可能な地上デジタル受信機の構成例を説明するためのブロック図である。
【図２】本発明に係わる１２セグメントの弱階層と１セグメントの強階層の両方が受信可能な地上デジタル受信機の構成例を説明するためブロック図である。
【図３】本発明のデジタル受信機における周波数変更発生の判別ロジックの一例を説明するためのフローチャートである。
【図４】本発明のデジタル受信機における周波数変更発生の判別ロジックの他の例を説明するためのフローチャートである。
【図５】本発明のデジタル受信機における周波数変更発生の判別ロジックの更に他の例を説明するためのフローチャートである。
【図６】本発明のデジタル受信機における周波数変更発生の判別ロジックの更に他の例を説明するためのフローチャートである。
【図７】従来の１セグメントの強階層受信のみ可能な地上デジタル受信機の構成例を説明するためのブロック図である。
【図８】従来の１２セグメントの弱階層及び１セグメントの強階層の両方が受信可能な地上デジタル受信機の構成例を説明するためのブロック図である。
【符号の説明】
１１…１セグメント用チューナ部、１２…１セグメント用デモジュレータ部、１３，２３，３３，４３…ＤｅＭＵＸ部、１４，２４，３４，４４…ＭＰＥＧデコーダ部、１５，２５，３５，４５…映像出力部、１６，２６，３６，４６…ＣＰＵ部、１７，２７，３７，４７…情報格納用メモリ部、２１，４１…１２及び１セグメント用チューナ部、２２，４２…１２及び１セグメント用デモジュレータ部、３１…セグメント用チューナ部、３２…セグメント用デモジュレータ部、４８…予約起動用サブＣＰＵ部。
【図１】
2004186982.tif 000003
【図２】
2004186982.tif 000004
【図３】
2004186982.tif 000005
【図４】
2004186982.tif 000006
【図５】
2004186982.tif 000007
【図６】
2004186982.tif 000008
【図７】
2004186982.tif 000009
【図８】
2004186982.tif 000010